(57)【要約】  陽極と陰極との間で一部箇所にショートが発生した場合に検出することができる有機ＥＬ照明装置を提供するため、有機ＥＬ照明装置において、有機ＥＬ照明デバイス１と、有機ＥＬ照明デバイス１を点灯させる駆動回路２と、有機ＥＬ照明デバイス１の点灯状態を監視する照度検出モニター３と、照度検出モニター３による監視情報に基づき駆動回路２に有機ＥＬ照明デバイス１を消灯させるモニター検出信号フィードバック回路４とを備えた。
2011099542.tif 000002
【特許請求の範囲】
【請求項１】
有機ＥＬ照明デバイスにおいて、
前記有機ＥＬ照明デバイスを点灯させる駆動手段と、
前記有機ＥＬ照明デバイスの点灯状態を監視する監視手段と、
前記監視手段による監視情報に基づき前記駆動手段に前記有機ＥＬ照明デバイスを消灯させるフィードバック手段と
を備える
ことを特徴とする有機ＥＬ照明装置。
【請求項２】
前記有機ＥＬ照明デバイスは、発光面積が２０ｃｍ2以上で、１０００ｃｄ／ｍ2以上の輝度で発光する
ことを特徴とする請求項１に記載の有機ＥＬ照明装置。
【請求項３】
前記有機ＥＬ照明デバイスは、発光面積が１０ｃｍ角以上で、１０００ｃｄ／ｍ2以上の輝度で発光する
ことを特徴とする請求項１に記載の有機ＥＬ照明装置。
【請求項４】
前記監視手段に、照度検出モニターを用いる
ことを特徴とする請求項１に記載の有機ＥＬ照明装置。
【発明の詳細な説明】
【技術分野】
【０００１】
本発明は、有機ＥＬ照明装置に関する。
【背景技術】
【０００２】
有機ＥＬ照明デバイスを発光点灯させる駆動方式として、一般的には定電流の直流駆動方式が採用されている。有機ＥＬ照明デバイスの発光面積が１５ｃｍ角以上で５０００ｃｄ／ｍ2相当の輝度で発光させるには、印加電流はアンペアオーダー以上の電流値が必要となる。また、上記サイズの良品有機ＥＬ照明デバイスにおける陽極と陰極との間の電極間抵抗は通常数ＭΩ以上の抵抗値を有しているが、陽極と陰極との間で一部箇所にショートが発生している場合には電極間抵抗値は数十Ω以下となる。
【先行技術文献】
【特許文献】
【０００３】
【特許文献１】特開２００７−２２７０９４号公報
【発明の概要】
【発明が解決しようとする課題】
【０００４】
面発光光源である電流駆動方式の有機ＥＬ照明デバイスは、発光面の全領域に亘って正常に発光している場合、同様に電流も発光面の全領域に亘って分散して鉛直方向に流れている。このため、トータル電流はアンペアオーダーであっても、単位面積（ｃｍ2）あたりの電流量はミリアンペアオーダーとなる。【０００５】
ところが、導電性異物等を介して陽極と陰極との間で一部箇所に数十Ωオーダーのショートが発生すると、有機ＥＬ照明デバイスの全面に亘って分散して流れていた電流が全てショート部に集中し、このとき発生するジュール熱により急激な温度上昇が起こる。そして、この温度上昇部に可燃性の部材が接触しているときには、最悪の場合発火する虞があった。【０００６】
以上のことから、本発明は、陽極と陰極との間で一部箇所にショートが発生した場合に検出することができる有機ＥＬ照明装置を提供することを目的とする。
【課題を解決するための手段】
【０００７】
上記の課題を解決する第１の発明に係る有機ＥＬ照明装置は、
有機ＥＬ照明デバイスにおいて、
前記有機ＥＬ照明デバイスを点灯させる駆動手段と、
前記有機ＥＬ照明デバイスの点灯状態を監視する監視手段と、
前記監視手段による監視情報に基づき前記駆動手段に前記有機ＥＬ照明デバイスを消灯させるフィードバック手段と
を備える
ことを特徴とする。【０００８】
上記の課題を解決する第２の発明に係る有機ＥＬ照明装置は、第１の発明に係る有機ＥＬ照明装置において、
前記有機ＥＬ照明デバイスは、発光面積が２０ｃｍ2以上で、１０００ｃｄ／ｍ2以上の輝度で発光する
ことを特徴とする。【０００９】
上記の課題を解決する第３の発明に係る有機ＥＬ照明装置は、第１の発明に係る有機ＥＬ照明装置において、
前記有機ＥＬ照明デバイスは、発光面積が１０ｃｍ角以上で、１０００ｃｄ／ｍ2以上の輝度で発光する
ことを特徴とする。【００１０】
上記の課題を解決する第４の発明に係る有機ＥＬ照明装置は、第１の発明に係る有機ＥＬ照明装置において、
前記監視手段に、照度検出モニターを用いる
ことを特徴とする。
【発明の効果】
【００１１】
本発明によれば、陽極と陰極との間で一部箇所にショートが発生した場合に検出することができる有機ＥＬ照明装置を提供することができる。
【図面の簡単な説明】
【００１２】
【図１】本発明の第１の実施例に係る有機ＥＬ照明装置の構成を示した模式図である。
【図２】本発明の第２の実施例に係る有機ＥＬ照明装置の構成を示した模式図である。
【図３】本発明の第３の実施例に係る有機ＥＬ照明装置の構成を示した模式図である。
【図４】本発明の第４の実施例に係る有機ＥＬ照明装置の構成を示した模式図である。
【発明を実施するための形態】
【００１３】
以下、本発明に係る有機ＥＬ照明装置を実施するための形態について、図面を参照しながら説明する。
有機ＥＬ照明デバイスは、定電流駆動で点灯している場合、有機ＥＬ照明デバイスが正常に点灯しているかどうかは、有機ＥＬ照明デバイスの照度等の点灯状態を監視することにより確認することができる。例えば、有機ＥＬ照明デバイスは、陰極と陽極との間で一部箇所にショートが発生した状態では、リーク電流の上昇とともに照度が低下し、あるリーク電流以上となったときに非点灯状態となる。そして、有機ＥＬ照明デバイスの点灯状態を監視することにより、陰極と陽極との間で一部箇所にショートが発生した場合に異常として検出することができる。
【００１４】
このため、本発明に係る有機ＥＬ照明装置においては、有機ＥＬ照明デバイスの点灯状態を監視することにより、陰極と陽極との間で一部箇所にショートが発生した場合に異常として検出できる監視手段、例えば一部箇所にショートが発生した場合には照度が急激に低下するので、監視手段として照度モニターを用い、照度の急激な低下を照度モニターにより監視し、この監視情報を有機ＥＬ照明デバイスの駆動回路にフィードバックして、異常時には有機ＥＬ照明デバイスへの供給電流をカットすることとした。
【実施例１】
【００１５】
以下、本発明に係る有機ＥＬ照明装置の第１の実施例について説明する。
はじめに、本実施例に係る有機ＥＬ照明装置の構成について説明する。
図１に示すように、本実施例に係る有機ＥＬ照明装置は、有機ＥＬ照明デバイス１と、有機ＥＬ照明デバイス１を点灯させる駆動回路２と、有機ＥＬ照明デバイス１の照度を検出する照度検出モニター３と、照度検出モニター３からの信号に基づき駆動回路２に信号を出力するモニター検出信号フィードバック回路４とにより構成されている。また、駆動回路２は、駆動電流供給回路２ａと駆動電流停止回路２ｂとを備えている。【００１６】
なお、本実施例に係る有機ＥＬ照明装置は、発光面積が１０ｃｍ角以上で、１０００ｃｄ／ｍ2以上の輝度で発光する有機ＥＬ照明デバイス１を用いるものとする。これは、ある程度の大きさの面積を有し、かつ、高輝度発光の有機ＥＬ照明デバイス１において、異常の検出が特に重要となるためである。【００１７】
さらに、本実施例に係る有機ＥＬ照明装置においては、発光面積が長方形のもの（例えば、４×５ｃｍ2，４×２６ｃｍ2，５×２６ｃｍ2，７×２６ｃｍ2）で、１０００ｃｄ／ｍ2以上の輝度で発光する有機ＥＬ照明デバイス１、特に４×５ｃｍ2のように発光面積が小さくても、例えば５０００〜１００００ｃｄ／ｍ2以上のように超高輝度の有機ＥＬ照明デバイス１を用いることも可能である。これは、これらのような有機ＥＬ照明デバイス１においても、異常の検出が特に重要となるためである。【００１８】
次に、本実施例に係る有機ＥＬ照明装置の動作について説明する。
本実施例に係る有機ＥＬ照明装置は、駆動回路２の駆動電流供給回路２ａより有機ＥＬ照明デバイス１に定格電流を供給することにより、有機ＥＬ照明デバイス１を点灯させている。そして、本実施例に係る有機ＥＬ照明装置においては、点灯状態の有機ＥＬ照明デバイス１の照度を照度検出モニター３により監視する。【００１９】
有機ＥＬ照明デバイス１に何らかの原因で陽極と陰極との間で一部箇所にショートが発生すると、有機ＥＬ照明デバイス１の照度が急激に低下する。本実施例に係る有機ＥＬ照明装置は、有機ＥＬ照明デバイス１の照度を監視している照度検出モニター３において所定値以下の照度を検出した場合、照度検出モニター３からモニター検出信号フィードバック回路４に照度低下信号を送信する。【００２０】
さらに、モニター検出信号フィードバック回路４から駆動回路２に照度低下信号を送信する。この信号を受けて駆動回路２は、駆動回路２の駆動電流停止回路２ｂから有機ＥＬ照明デバイス１に点灯停止信号を送信し、有機ＥＬ照明デバイス１を消灯させる。【００２１】
以上のことから、本実施例に係る有機ＥＬ照明装置によれば、陽極と陰極との間で一部箇所にショートが発生した場合に異常として検出することができる。これにより、有機ＥＬ照明デバイス１の一部箇所にショートが発生した状態で過負荷の電流を供給し続けることにより発生するジュール熱に起因する火災事故等を防止することができる。
【実施例２】
【００２２】
以下、本発明に係る有機ＥＬ照明装置の第２の実施例について説明する。
はじめに、本実施例に係る有機ＥＬ照明装置の構成について説明する。
図２に示すように、本実施例に係る有機ＥＬ照明装置は、有機ＥＬ照明デバイス１と、有機ＥＬ照明デバイス１を点灯させる駆動回路２と、有機ＥＬ照明デバイス１の電圧降下を検出する電圧降下検出モニター５と、電圧降下検出モニター５からの信号に基づき駆動回路２に信号を出力するモニター検出信号フィードバック回路４とにより構成されている。また、駆動回路２は、駆動電流供給回路２ａと駆動電流停止回路２ｂとを備えている。【００２３】
次に、本実施例に係る有機ＥＬ照明装置の動作について説明する。
本実施例に係る有機ＥＬ照明装置は、駆動回路２の駆動電流供給回路２ａより有機ＥＬ照明デバイス１に定格電流を供給することにより、有機ＥＬ照明デバイス１を点灯させている。そして、本実施例に係る有機ＥＬ照明装置においては、点灯状態の有機ＥＬ照明デバイス１の電圧降下を電圧降下検出モニター５により監視する。【００２４】
有機ＥＬ照明デバイス１に何らかの原因で陽極と陰極との間で一部箇所にショートが発生すると、有機ＥＬ照明デバイス１の電圧が急激に低下する。本実施例に係る有機ＥＬ照明装置は、有機ＥＬ照明デバイス１の電圧を監視している電圧降下検出モニター５において所定値以下の電圧を検出した場合、電圧降下検出モニター５からモニター検出信号フィードバック回路４に電圧低下信号を送信する。【００２５】
さらに、モニター検出信号フィードバック回路４から駆動回路２に照度低下信号を送信する。この信号を受けて駆動回路２は、駆動回路２の駆動電流停止回路２ｂから有機ＥＬ照明デバイス１に点灯停止信号を送信し、有機ＥＬ照明デバイス１を消灯させる。【００２６】
以上のことから、本実施例に係る有機ＥＬ照明装置によれば、陽極と陰極との間で一部箇所にショートが発生した場合に異常として検出することができる。これにより、有機ＥＬ照明デバイス１の一部箇所にショートが発生した状態で過負荷の電流を供給し続けることにより発生するジュール熱に起因する火災事故等を防止することができる。
【実施例３】
【００２７】
以下、本発明に係る有機ＥＬ照明装置の第３の実施例について説明する。
はじめに、本実施例に係る有機ＥＬ照明装置の構成について説明する。
図３に示すように、本実施例に係る有機ＥＬ照明装置は、有機ＥＬ照明デバイス１と、有機ＥＬ照明デバイス１を点灯させる駆動回路２と、有機ＥＬ照明デバイス１の輝度を検出する輝度検出モニター６と、輝度検出モニター６からの信号に基づき駆動回路２に信号を出力するモニター検出信号フィードバック回路４とにより構成されている。また、駆動回路２は、駆動電流供給回路２ａと駆動電流停止回路２ｂとを備えている。なお、輝度検出モニター６は、特に、有機ＥＬ照明デバイス１の表面輝度を測定するものとしてもよい。【００２８】
次に、本実施例に係る有機ＥＬ照明装置の動作について説明する。
本実施例に係る有機ＥＬ照明装置は、駆動回路２の駆動電流供給回路２ａより有機ＥＬ照明デバイス１に定格電流を供給することにより、有機ＥＬ照明デバイス１を点灯させている。そして、本実施例に係る有機ＥＬ照明装置においては、点灯状態の有機ＥＬ照明デバイス１の輝度を輝度検出モニター６により監視する。【００２９】
有機ＥＬ照明デバイス１に何らかの原因で陽極と陰極との間で一部箇所にショートが発生すると、有機ＥＬ照明デバイス１の輝度が急激に低下する。本実施例に係る有機ＥＬ照明装置は、有機ＥＬ照明デバイス１の輝度を監視している輝度検出モニター６において所定値以下の輝度を検出した場合、輝度検出モニター６からモニター検出信号フィードバック回路４に照度低下信号を送信する。【００３０】
さらに、モニター検出信号フィードバック回路４から駆動回路２に照度低下信号を送信する。この信号を受けて駆動回路２は、駆動回路２の駆動電流停止回路２ｂから有機ＥＬ照明デバイス１に点灯停止信号を送信し、有機ＥＬ照明デバイス１を消灯させる。【００３１】
以上のことから、本実施例に係る有機ＥＬ照明装置によれば、陽極と陰極との間で一部箇所にショートが発生した場合に異常として検出することができる。これにより、有機ＥＬ照明デバイス１の一部箇所にショートが発生した状態で過負荷の電流を供給し続けることにより発生するジュール熱に起因する火災事故等を防止することができる。
【実施例４】
【００３２】
以下、本発明に係る有機ＥＬ照明装置の第４の実施例について説明する。
はじめに、本実施例に係る有機ＥＬ照明装置の構成について説明する。
図４に示すように、本実施例に係る有機ＥＬ照明装置は、有機ＥＬ照明デバイス１と、有機ＥＬ照明デバイス１を点灯させる駆動回路２と、有機ＥＬ照明デバイス１の温度を検出する温度検出モニター７と、温度検出モニター７からの信号に基づき駆動回路２に信号を出力するモニター検出信号フィードバック回路４とにより構成されている。また、駆動回路２は、駆動電流供給回路２ａと駆動電流停止回路２ｂとを備えている。なお、温度検出モニター７は、特に、有機ＥＬ照明デバイス１の表面温度を測定するものとしてもよい。【００３３】
次に、本実施例に係る有機ＥＬ照明装置の動作について説明する。
本実施例に係る有機ＥＬ照明装置は、駆動回路２の駆動電流供給回路２ａより有機ＥＬ照明デバイス１に定格電流を供給することにより、有機ＥＬ照明デバイス１を点灯させている。そして、本実施例に係る有機ＥＬ照明装置においては、点灯状態の有機ＥＬ照明デバイス１の温度を温度検出モニター７により監視する。【００３４】
有機ＥＬ照明デバイス１に何らかの原因で陽極と陰極との間で一部箇所にショートが発生すると、有機ＥＬ照明デバイス１の温度が急激に上昇する。本実施例に係る有機ＥＬ照明装置は、有機ＥＬ照明デバイス１の温度を監視している温度検出モニター７において所定値以上の温度を検出した場合、温度検出モニター７からモニター検出信号フィードバック回路４に照度低下信号を送信する。【００３５】
さらに、モニター検出信号フィードバック回路４から駆動回路２に照度低下信号を送信する。この信号を受けて駆動回路２は、駆動回路２の駆動電流停止回路２ｂから有機ＥＬ照明デバイス１に点灯停止信号を送信し、有機ＥＬ照明デバイス１を消灯させる。【００３６】
以上のことから、本実施例に係る有機ＥＬ照明装置によれば、陽極と陰極との間で一部箇所にショートが発生した場合に異常として検出することができる。これにより、有機ＥＬ照明デバイス１の一部箇所にショートが発生した状態で過負荷の電流を供給し続けることにより発生するジュール熱に起因する火災事故等を防止することができる。
【産業上の利用可能性】
【００３７】
本発明は、例えば、有機ＥＬデバイス、特に、発光面積が２０ｃｍ2以上又は発光面積が１０ｃｍ角以上で、１０００ｃｄ／ｍ2以上の輝度で発光する有機ＥＬ照明デバイスに利用することが可能である。
【符号の説明】
【００３８】
１  有機ＥＬ照明デバイス
２  駆動回路
２ａ  駆動電流供給回路
２ｂ  駆動電流停止回路
３  照度検出モニター
４  モニター検出信号フィードバック回路
５  電圧降下検出モニター
６  輝度検出モニター
７  温度検出モニター
【図１】
2011099542.tif 000003
【図２】
2011099542.tif 000004
【図３】
2011099542.tif 000005
【図４】
2011099542.tif 000006
【国際調査報告】
2011099542.tif 000007
2011099542.tif 000008
2011099542.tif 000009
2011099542.tif 000010